(57)【要約】【課題】  無線基地局が、例えば短い周期など不必要に他の基地局を活性状態に遷移させてしまう（省電力状態を解除してしまう）と、当該他の無線基地局の消費電力を低減できない。【解決手段】  本発明の通信システムは、第１のセルを管理し、前記第１のセル内の通信端末と接続する第１の基地局と、前記第１のセルと少なくとも一部が重複する第２のセルを管理し、前記第２のセル内の通信端末と接続する第２の基地局と、を有し、前記第２の基地局は、管理するセル毎に、第１の状態と、前記第１の状態よりも消費電力を低下させた第２の状態とを切り替え可能に構成され、前記第１の基地局は、前記第１のセルが所定の条件を満たしたことに応じて、前記第２の基地局に対して、前記第２の状態である前記第２のセルを前記第１の状態へ切り替えることを依頼することを特徴とする。【選択図】      図１
2015008398.tif 000002
【特許請求の範囲】
【請求項１】
第１のセルを管理し、前記第１のセル内の通信端末と接続する第１の基地局と、
前記第１のセルと少なくとも一部が重複する第２のセルを管理し、前記第２のセル内の通信端末と接続する第２の基地局と、を有し、
前記第２の基地局は、管理するセル毎に、第１の状態と、前記第１の状態よりも消費電力を低下させた第２の状態とを切り替え可能に構成され、
前記第１の基地局は、前記第１のセルが所定の条件を満たしたことに応じて、前記第２の基地局に対して、前記第２の状態である前記第２のセルを前記第１の状態へ切り替えることを依頼する
ことを特徴とする通信システム。
【請求項２】
前記所定の条件は、前記第１のセル内の通信端末の数が所定の閾値以上であること、又は、前記第１のセルにおけるトラフィック量が所定の閾値以上であること、の少なくとも一方である
ことを特徴とする請求項２に記載の通信システム。
【請求項３】
前記第１の基地局は、
管理するセル毎に、前記セル内の通信端末の数と、前記セルにおける所定の閾値とを対応付けて記憶し、
前記記憶した情報を参照して、前記第１のセルにおける通信端末の数が所定の閾値以上になったことを検出する
ことを特徴とする請求項２に記載の通信システム。
【請求項４】
前記第１の状態は、前記管理するセルにおいて、通信端末と接続可能な状態であり、
前記第２の状態は、前記管理するセルにおいて、通信端末へ送信する信号を停止し、前記通信端末と接続しない状態である
ことを特徴とする請求項１乃至３のいずれかに記載の通信システム。
【請求項５】
前記第１の基地局は、
管理するセル毎に、前記セルと少なくとも一部が重複するセルに関する情報を記憶し、
前記記憶した情報を参照して、前記第２の状態から前記第１の状態へ切り替えるセルを把握し、
前記第２の基地局に対して、前記把握したセルを前記第１の状態へ切り替えることを依頼する
ことを特徴とする請求項１乃至４のいずれかに記載の通信システム。
【請求項６】
前記第２の基地局は、前記第２の状態である前記第２のセルを前記第１の状態へ切り替えたことに応じて、前記第１の基地局に対して、前記第２のセルが前記第１の状態であることを通知し、
前記第１の基地局は、前記通知を受信したことに応じて、前記第２のセルが前記第１の状態であることを記憶する
ことを特徴とする請求項１乃至５のいずれかに記載の通信システム。
【請求項７】
前記第２の基地局は、
前記第２のセルが第２の所定の条件を満たしたことに応じて、前記第２のセル内の通信端末を前記第１のセルにハンドオーバさせ、
前記ハンドオーバが完了したことに応じて、前記第２のセルを前記第１の状態から前記第２の状態へ切り替える
ことを特徴とする請求項１乃至６のいずれかに記載の通信システム。
【請求項８】
第１のセルを管理し、前記第１のセル内の通信端末と接続する通信部と、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する制御部と、
を有することを特徴とする基地局。
【請求項９】
第１のセルを管理し、前記第１のセル内の通信端末と接続し、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する
ことを特徴とする通信方法。
【請求項１０】
第１のセルを管理し、前記第１のセル内の通信端末と接続する処理と、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する処理と、
をコンピュータに実行させることを特徴とするプログラム。
【発明の詳細な説明】
【技術分野】
【０００１】
本発明は、通信システム、基地局、通信方法及びプログラムに関する。特に、通信端末と接続する基地局、その基地局を含む通信システム、通信方法及びプログラムに関する。
【背景技術】
【０００２】
無線通信システムにおいて、所定のエリアにおいて複数の基地局のセルを重ね合わせ、当該エリアに通信端末が集中した場合にも、当該複数の基地局のセルによって該通信端末の通信帯域を確保する技術がある。
【０００３】
特許文献１には、電波到達範囲が広い大型基地局と、電波到達範囲が狭く当該大型基地局の電波到達範囲内に設置された小型基地局と、小型基地局の起動を制御する管理装置とを有し、管理装置が小型基地局を適応的に起動させる技術を開示する。特許文献１の無線通信システムは、管理装置が、大型基地局の電波到来範囲内において、電波到来方位毎に所定の条件を満たしたか否かを判定し、その判定が真の場合、当該電波到来方位に位置する小型基地局に、当該小型基地局を起動するための信号を送信する。このように、当該無線通信システムの管理装置は、例えば通信端末が所定のエリアに集中した場合に、小型基地局を起動させることによって、当該通信端末の通信帯域を確保することができる。
【０００４】
しかしながら、特許文献１に記載の技術では、基地局とは異なる装置である管理装置が、大型基地局の電波到達範囲内の在圏状況や通信状況を把握し、当該把握した状況に応じて、小型基地局を起動するための信号を送信する。すなわち、特許文献１に記載の技術では、基地局やセルの起動を制御するための管理装置が必要となり、当該管理装置を設置する場所の確保や、当該管理装置に対する設備投資の発生が問題となる。
【０００５】
これに対して、管理装置を介さず、基地局自身が、管理するセル又は隣接する基地局が管理するセルの起動を制御する技術がある。例えば、３ＧＰＰ（３ｒｄ  Ｇｅｎｅｒａｔｉｏｎ  Ｐａｒｔｎｅｒｓｈｉｐ  Ｐｒｏｊｅｃｔ）は、無線通信システムの省電力化を図るために、基地局が、管理するセルにおいて通信端末との接続を停止し、消費電力を低下させる技術を規定している。
【０００６】
非特許文献１は、基地局が、管理するセルの増減について隣接する基地局に通知するために、ＥＮＢ  ＣＯＮＦＩＧＵＲＡＴＩＯＮ  ＵＰＤＡＴＥを送信することを開示する。隣接する基地局は、受信したＥＮＢ  ＣＯＮＦＩＧＵＲＡＴＩＯＮ  ＵＰＤＡＴＥにより、該基地局と通信端末との接続が停止しているセルを把握する。
【０００７】
一方、非特許文献１は、基地局が、隣接する基地局に対して、通信端末との接続が停止しているセルを活性化させる（該セルで基準信号（報知）を送信する）ために、ＣＥＬＬ  ＡＣＴＩＶＡＴＩＯＮ  ＲＥＱＵＥＳＴを送信することを開示する。隣接する基地局は、受信したＣＥＬＬ  ＡＣＴＩＶＡＴＩＯＮ  ＲＥＱＵＥＳＴで指定されたセルを活性状態（基準信号（報知）を送信する状態）に遷移させ、当該セルにおける通信端末との接続を可能にする。
【０００８】
また、特許文献２は、無線基地局が、所定の条件を満たしたことに応じて、他の無線基地局を活性状態から非活性状態（消費電力を低下した状態：省電力状態）に切り替えるため、ＥＮＢ  ＣＯＮＦＩＧＵＲＡＴＩＯＮ  ＵＰＤＡＴＥを送信することを開示する。特許文献１記載の無線基地局は、（１）接続中の端末数が所定数未満で、（２）無線端末と他の無線基地局との間の信号の受信電力レベルが所定レベルを上回り、（３）他の無線基地局の負荷レベルが所定レベル未満のときに、他の無線基地局を非活性状態に切り替える。
【先行技術文献】
【特許文献】
【０００９】
【特許文献１】特開２０１１−１０３５７０号公報
【特許文献２】特開２０１２−５００２号公報
【非特許文献】
【００１０】
【非特許文献１】３ＧＰＰ  ＴＳ３６．４２３  Ｖ１１．４．０
【発明の概要】
【発明が解決しようとする課題】
【００１１】
前述したように、特許文献２には、無線基地局が、他の無線基地局を活性状態から非活性状態に切り替える条件を開示する。しかしながら、非特許文献１及び特許文献２は、無線基地局が、他の基地局を非活性状態から活性状態に切り替える条件を開示していない。そのため、該無線基地局が、例えば短い周期など不必要に他の基地局を活性状態に遷移させてしまう（省電力状態を解除してしまう）と、当該他の無線基地局の消費電力を低減できないという課題があった。
【００１２】
本発明は、上述した課題を解決するために、基地局が、他の基地局の省電力状態を不必要に解除することを防止し、当該他の基地局における消費電力を低減できる通信システム、基地局、通信方法及びプログラムを提供することを目的とする。
【課題を解決するための手段】
【００１３】
本発明の通信システムは、第１のセルを管理し、前記第１のセル内の通信端末と接続する第１の基地局と、前記第１のセルと少なくとも一部が重複する第２のセルを管理し、前記第２のセル内の通信端末と接続する第２の基地局と、を有し、前記第２の基地局は、管理するセル毎に、第１の状態と、前記第１の状態よりも消費電力を低下させた第２の状態とを切り替え可能に構成され、前記第１の基地局は、前記第１のセルが所定の条件を満たしたことに応じて、前記第２の基地局に対して、前記第２の状態である前記第２のセルを前記第１の状態へ切り替えることを依頼することを特徴とする。
【００１４】
本発明の基地局は、第１のセルを管理し、前記第１のセル内の通信端末と接続する通信部と、前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する制御部と、を有することを特徴とする。
【００１５】
本発明の通信方法は、第１のセルを管理し、前記第１のセル内の通信端末と接続し、前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼することを特徴とする。
【００１６】
本発明のプログラムは、第１のセルを管理し、前記第１のセル内の通信端末と接続する処理と、前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する処理と、をコンピュータに実行させることを特徴とする。
【発明の効果】
【００１７】
本発明は、基地局が、他の基地局の省電力状態を不必要に解除しないため、当該他の基地局における消費電力を低減できるという効果がある。
【図面の簡単な説明】
【００１８】
【図１】本発明の一実施形態の通信システムの例を示す図である。
【図２】本発明の第１の実施形態における通信システムの例を示す図である。
【図３】本発明の第１の実施形態における基地局の構成例を示す図である。
【図４】本発明の第１の実施形態における第１の基地局の動作例を示すフローチャートである。
【図５】本発明の第１の実施形態における第２の基地局の動作例を示すフローチャートである。
【図６】本発明の第２の実施形態における基地局の構成例を示す図である。
【図７】本発明の第２の実施形態におけるセル管理ＤＢ（データベース）の例を示す図である。
【図８】本発明の第２の実施形態におけるオーバレイセル管理ＤＢの例を示す図である。
【図９】本発明の第２の実施形態における第１の基地局の動作例を示すフローチャートである。
【図１０】本発明の第２の実施形態における第２の基地局の動作例を示すフローチャートである。
【図１１】本発明の第３の実施形態における第１の基地局の動作例を示すフローチャートである。
【図１２】本発明の第３の実施形態における通信システムの動作例を示すシーケンス図である。
【発明を実施するための形態】
【００１９】
はじめに、図１を用いて、本発明の一実施形態の概要について説明する。なお、この概要に付記した図面参照符号は、理解を助けるための一例として各要素に便宜上付記したものであり、この概要の記載はなんらの限定を意図するものではない。
【００２０】
本発明の一実施形態における通信システムは、例えば基地局が管理するセル内に在圏する通信端末数が増加したなど、所定の条件を満たした場合に、当該セルと全部又は一部が重複する他の基地局が管理するセルの省電力モード（状態）を解除する。
【００２１】
なお、省電力モードは、例えば、管理するセルにおいて、通信端末へ送信する信号（基準信号（報知））を停止し、通信端末と接続しない状態である。
【００２２】
基地局は、所定の条件を満たした場合に省電力モード（状態）を解除するので、不必要に省電力モード（状態）を解除することがなく、他の基地局における消費電力を低減することが可能となる。
【００２３】
本発明の一実施形態における通信システムは、図１に示すように、基地局１、通信端末２、ネットワーク３を含む。
【００２４】
本発明の一実施形態における通信システムは、例えば、３ＧＰＰにおけるＬＴＥ（Ｌｏｎｇ  Ｔｅｒｍ  Ｅｖｏｌｕｔｉｏｎ）である。なお、通信システムは、例えば、ＬＴＥ−Ａｄｖａｎｃｅｄ等の他の方式であってもよい。
【００２５】
図１に示す基地局１は、通信端末２にサービスを提供できる通信エリアであるセルを管理しており、セル内に在圏する通信端末２と接続することができる。基地局１は、管理するセル単位で、通信端末２に対して基準信号（報知）を送信することができる。
【００２６】
図１に示すように、本発明の一実施形態における通信システムは、複数の基地局１を含む。該通信システムは、例えば、基地局１−１と、基地局１−２とを含む。基地局１−１と基地局１−２とは、例えば、基地局間通信を提供する論理的な通信路であるＸ２インターフェースを介して、互いに通信する。
【００２７】
基地局１−１は、第１のセル１０を管理し、第１のセル１０内に在圏する通信端末２と接続する。基地局１−２は、第２のセル２０を管理し、第２のセル２０内に在圏する通信端末２と接続する。
【００２８】
本発明の一実施形態において、基地局１−１が管理する第１のセル１０と、基地局１−２が管理する第２のセル２０とは、互いに重複する。なお、図１の例では、第２のセル２０は、第１のセル１０に包含されており、オーバレイ構成となっている（第２のセル２０の全部が第１のセル１０と重複している）。ただし、第２のセル２０は、第１のセル１０と必ずしもオーバレイ構成になっている必要はなく、一部分が第１のセル１０と重複する構成であってもよい。
【００２９】
本発明の一実施形態における基地局１は、管理するセル単位で、基準信号（報知）の送信を停止し、消費電力を低下させた省電力モードに設定することができる。また、該基地局１は、管理するセル単位で、省電力モードを解除し、基準信号（報知）の送信を再開することができる。
【００３０】
本発明の一実施形態における基地局１（基地局１−２）は、他の基地局１（基地局１−１）からの要求に応じて、管理セルのうち省電力モードのセルについて、省電力モードを解除し、基準信号（報知）の送信を再開することができる。
【００３１】
本発明の一実施形態における他の基地局１（基地局１−１）は、管理するセル（第１のセル）が所定の条件を満たしたことに応じて、基地局１（基地局１−２）に対して、セルの省電力モードの解除を依頼する。
【００３２】
他の基地局１（基地局１−１）は、例えば、管理するセル（第１のセル１０）において在圏する通信端末の数が所定の閾値以上になったことに応じて、基地局１（基地局１−２）に対して、セルの省電力モードの解除を依頼する。他の基地局１（基地局１−１）は、例えば、管理するセル（第１のセル１０）の通信トラフィックが、所定の閾値以上になったことに応じて、基地局１（基地局１−２）に対して、セルの省電力モードの解除を依頼する。
【００３３】
他の基地局１（基地局１−１）は、基地局１（基地局１−２）が管理する省電力モードのセルのうち、自装置が管理するセル（第１のセル１０）と全部又は一部が重複するセル（第２のセル２０）について、省電力モードの解除を依頼する。
【００３４】
上記のとおり、本発明の一実施形態における基地局１は、管理するセルが所定の条件を満たしたことに応じて、当該セルと一部又は全部が重複するセルであって省電力モードのセルを管理する他の基地局１に対して、該省電力モードの解除を依頼する。他の基地局１は、当該依頼に応じて、当該セルと一部又は全部が重複するセルの省電力モードを解除する。
【００３５】
このように、本発明の一実施形態における基地局は、所定の条件を満たしたことに応じて他の基地局に対してセルの省電力状態の解除を依頼するので、当該省電力状態を不必要に解除することがなく、当該他の基地局における消費電力を低減することができる。
【００３６】
以下、具体的な実施の形態について、図面を参照して説明する。
【００３７】
＜第１の実施形態＞
本発明の第１の実施形態に関する通信システムは、図２に示すように、第１の基地局１―１、第２の基地局１−２、通信端末２、ネットワーク３を含む。
【００３８】
なお、本発明の第１の実施形態において、本発明の一実施形態と同様の構成については、説明を省略する。
【００３９】
第１の基地局１―１は、例えば、セル１０を管理する。第１の基地局１―１は、管理するセル１０において、基準信号（報知）を送信し、通信端末２と接続する。第１の基地局１−１は、セル１０において、基準信号（報知）の送信を停止し、消費電力を低下させた省電力モードに設定することができる。また、第１の基地局１−１は、セル１０の省電力モードを解除し、基準信号（報知）の送信を再開することができる。
【００４０】
第２の基地局１−２は、例えば、セル２０を管理する。第２の基地局１−２は、管理するセル２０において、基準信号（報知）を送信し、通信端末２と接続する。第２の基地局１―２は、管理するセル２０において、基準信号（報知）を送信し、通信端末２と接続する。第１の基地局１−２は、セル２０において、基準信号（報知）の送信を停止し、消費電力を低下させた省電力モードに設定することができる。また、第２の基地局１−２は、セル２０の省電力モードを解除し、基準信号（報知）の送信を再開することができる。
【００４１】
図３は、本発明の第１の実施形態における基地局１の構成例を示す図である。本発明の第１の実施形態において、第１の基地局１−１と第２の基地局１−２とは、同様の構成である。なお、下記では、第１の基地局１−１を例として説明する。
【００４２】
図３に示すように、第１の基地局１―１は、通信部１０と制御部１１とを有する。
【００４３】
通信部１０は、例えば無線周波数（ＲＦ）回路やベースバンド（ＢＢ）回路を用いて構成され、アンテナ（図示しない）等を介して、通信装置２と接続する手段として機能する。また、通信部１０は、他の基地局１（例えば、第２の基地局１−２）と通信する手段として機能する。
【００４４】
制御部１１は、例えばＣＰＵ（Ｃｅｎｔｒａｌ  Ｐｒｏｃｅｓｓｉｎｇ  Ｕｎｉｔ）等を用いて構成され、第１の基地局１―１が有する各部の機能を提供する手段として機能する。
【００４５】
図３に示すように、制御部１１は、条件判定部１１０と、状態決定部１１１とを有する。
【００４６】
条件判定部１１０は、第１の基地局１−１が管理するセル１０が所定の条件を満たしたか否か（又は、管理するセル１０において所定の条件が満たされたか否か）を検出する（判定する）手段として機能する。条件判定部１１０は、例えば、セル１０に在圏する通信端末の数が所定の閾値以上になったことを検出する。条件判定部１１０は、例えば、セル１０のトラフィック量が所定の閾値以上になったことを検出する。なお、条件判定部１１０は、前記第１のセル内の通信端末の数が所定の閾値以上であること、又は、前記第１のセルにおけるトラフィック量が所定の閾値以上であること、の少なくとも一方を検出したことに応じて、状態決定部１１１にその旨を通知する。
【００４７】
条件判定部１１０が当該判定を開始するタイミングは、例えば、セル１０内に新たに通信端末が在圏した場合である。また、条件判定部１１０が当該判定を開始する当該タイミングは、例えば、所定の周期であってもよい。
【００４８】
条件判定部１１０は、セル１０が所定の条件を満たしたことに応じて、状態決定部１１１にその旨を通知する。
【００４９】
状態決定部１１１は、条件判定部１１０からの通知があったことに応じて、セル１０と一部又は全部が重複するセル２０を管理する第２の基地局１−２に対して、セル２０の省電力モードの解除を依頼する。状態決定部１１１は、例えば、第２の基地局１−２に対して、セル２０の省電力モードの解除を依頼するメッセージを送信する。
【００５０】
状態決定部１１１は、例えば、第２の基地局１―２に対して送信するメッセージに、省電力モードを解除するセル２０を一意に識別する識別子を含ませる。メッセージを受信する第２の基地局１−２は、例えば、該メッセージに含まれる識別子によって、セル２０の省電力モードを解除することを把握する。状態決定部１１１は、例えば、該メッセージに、状態（モード）に関する情報として、通常モードであることを示す情報を含ませてもよい。メッセージを受信する第２の基地局１−２は、例えば、該メッセージに含まれる状態（モード）に関する情報に基づいて、セル２０のモードを遷移させる。
【００５１】
第１の基地局１−１に含まれる状態決定部１１１は、他の基地局１（例えば、第２の基地局１−２）から、第１の基地局１−１が管理するセルの省電力モードの解除を依頼するメッセージを受信したことに応じて、当該セルの省電力モードを解除する。第１の基地局１−１は、例えば、管理するセル１０が省電力モードの際に、他の基地局１からセル１０の省電力モードの解除を依頼するメッセージを受信したことに応じて、セル１０の省電力モードを解除し、基準信号（報知）の送信を再開する。
【００５２】
なお、上述したように、第２の基地局１−２は、図３に示す第１の基地局１−１と同様の構成である。したがって、第２の基地局１−２に含まれる状態決定部１１１−２は、第１の基地局１−１からセル２０の省電力モードの解除を依頼するメッセージを受信したことに応じて、当該セル２０の省電力モードを解除し、基準信号（報知）の送信を再開する。
【００５３】
図４は、本発明の第１の実施形態における、第１の基地局１−１の動作例を示すフローチャートである。なお、図４では、管理するセル１０が満たす条件として、セル１０内に在圏する通信端末数が所定の閾値以上であることを例にして説明するが、当該条件はこの条件に限られず、例えば、セル１０内のトラフィック量が所定の閾値以上であること等でもよい。
【００５４】
本発明の第１の実施形態において、第１の基地局１−１の条件判定部１１０は、セル１０内に在圏する通信端末数が所定の閾値以上であるか否かを判定する（Ｓ１０１）。
【００５５】
条件判定部１１０の判定の結果、セル１０内に在圏する通信端末数が所定の閾値未満であれば、ステップ１０１（Ｓ１０１）に戻る。
【００５６】
条件判定部１１０の判定の結果、セル１０内に在圏する通信端末数が所定の閾値以上であれば、セル１０と一部又は全部が重複するセル２０を管理する第２の基地局１−２に対して、セル２０の省電力モードの解除を依頼するメッセージを送信する（Ｓ１０２）。
【００５７】
図５は、本発明の第１の実施形態における、第２の基地局１−２の動作例を示すフローチャートである。
【００５８】
第２の基地局１−２は、第１の基地局１−１から、セル２０の省電力モードの解除を依頼するメッセージを受信する（Ｓ２０１）。
【００５９】
第２の基地局１−２は、当該メッセージを受信したことに応じて、メッセージで指定されたセル（図５の例ではセル２０）の省電力モードを解除し、基準信号（報知）の送信を再開する（Ｓ２０２）。
【００６０】
上記のとおり、本発明の第１の実施形態において、第１の基地局１−１は、所定の条件を満たしたことに応じて、第２の基地局１−２に対してセル２０の省電力状態の解除を依頼する。したがって、第１の基地局１−１は、第２の基地局１−２に対してセル２０の省電力モードの解除を不必要に依頼することがなく、第２の基地局１−２における消費電力を低減することができる。
【００６１】
＜第２の実施形態＞
本発明の第２の実施形態について、図面を参照して説明する。第２の実施形態では、基地局１が、管理するセルに関する情報を記憶するセル管理データベース（ＤＢ）を有する。また、当該基地局１は、管理するセルと一部又は全部が重複するセルであって、他の基地局１が管理するセルに関する情報を記憶するオーバレイセル管理ＤＢを有する。
【００６２】
本発明の第２の実施形態の基地局１は、セル管理ＤＢを有するので、管理するセル毎に、在圏する通信端末数や、そのセルの状態（通常モードか省電力モードか）などを管理することが可能となる。なお、通常モードは、前記管理するセルにおいて、通信端末と接続可能な状態である。また、本発明の第２の実施形態の基地局１は、オーバレイセル管理ＤＢを有するので、自装置が管理するセルと一部又は全部が重複するセルであって、他の基地局１が管理するセルに関する情報を管理することが可能となる。
【００６３】
なお、本発明の第２の実施形態において、本発明の一実施形態、又は、第１の実施形態と同様の構成については、説明を省略する。
【００６４】
図６は、本発明の第２の実施形態における、基地局１の構成例を示す図である。本発明の第２の実施形態において、第１の基地局１−１と第２の基地局１−２とは、同様の構成である。なお、下記では、第１の基地局１−１を例として説明する。
【００６５】
図６に示すように、第１の基地局１−１は、通信部１０と、制御部１１と、セル情報管理部１２と、セル管理ＤＢ１３と、オーバレイセル情報管理部１４と、オーバレイセル管理ＤＢ１５とを有する。
【００６６】
セル情報管理部１２は、第１の基地局１−１が管理するセル（例えば、セル１０）に関する情報を収集する手段として機能する。セル情報管理部１２は、例えば、所定の周期で、第１の基地局１−１が管理するセルに関する情報を収集する。セル情報管理部１２は、例えば、第１の基地局１−１が管理するセルに在圏する通信端末２の数に増減があった場合に、当該セルに関する情報を収集してもよい。
【００６７】
セル情報管理部１２は、収集したセルに関する情報を、セル管理ＤＢ１３に記憶する手段として機能する。セル情報管理部１２は、例えば、所定の周期で、又は、情報を収集したことに応じて、セル管理ＤＢ１３に記憶した情報を更新する。
【００６８】
セル管理ＤＢ１３は、第１の基地局１−１が管理するセルに関する情報を記憶する。セル管理ＤＢ１３は、例えば、テーブル形式で当該セルに関する情報を記憶する。
【００６９】
図７は、本発明の第２の実施形態における、セル管理ＤＢ１３の構成例を示す図である。セル管理ＤＢ１３は、例えば、第１の基地局１−１が管理するセル１０、１１及び１２に関して、セルに関する情報を記憶する。
【００７０】
セル管理ＤＢ１３は、例えば、第１の基地局１−１が管理するセルと、当該セルのセル識別子と、当該セルの現在の状態（モード）を示すセルモードと、当該セルに在圏する通信端末２の数を示す通信端末数と、当該セルにおける所定の閾値と、を対応づけて記憶する。なお、セル管理ＤＢ１３に記憶する情報は、これらの例に限られず、第１の基地局１−１が管理するセルに関する情報であればどのようなものであってもよく、例えば当該セルにおけるトラフィック量を含んでいてもよい。また、図７はセル管理ＤＢ１３の一例であり、セル管理ＤＢ１３は、図７に示される項目の全てを記憶する必要はなく、適宜選択することができる。
【００７１】
セル識別子は、第１の基地局１−１及び他の基地局が、第１の基地局１−１が管理するセルを一意に識別することができる識別子である。図７の例では、セル１０に対して、セル１０のセル識別子「ＡＡＡＡＡ」が記憶されている。
【００７２】
セルモードはセルの現在の状態（モード）を示し、本発明の第２の実施形態では、通常モード又は省電力モードのどちらかである。なお、上述したとおり、通常モードは、第１の基地局１−１が基準信号（報知）を送信している状態であり、省電力モードは、第１の基地局１−１が基準信号（報知）の送信を停止している状態である。図７の例では、セル１０に対して、セル１０の現在の状態である「通常」（モード）が記憶されている。
【００７３】
通信端末数は、第１の基地局１−１が管理するセル内に在圏する通信端末２の数である。図７の例では、セル１０に対して、セル１０に在圏する通信端末２の数である「１０」が記憶されている。
【００７４】
閾値は、第１の基地局１−１が管理するセル１０が所定の条件を満たしたか否か（又は、管理するセル１０において所定の条件が満たされたか否か）を検出する（判定する）ために用いる、基準となる値である。閾値は、例えば、基準となる通信端末２の数である。閾値は、例えば、基準となるトラフィック量である。第１の基地局１−１の条件判定部１１０は、例えば、セル１０内の通信端末数が当該閾値（通信端末２の数）以上であることを検出する（判定する）。条件判定部１１０は、例えば、セル１０内のトラフィック量が当該閾値（トラフィック量）以上であることを検出する（判定する）。
【００７５】
図７の例では、セル１０に対して、セル１０内の通信端末数の閾値「５０」が記憶されている。
【００７６】
オーバレイセル管理部１４は、第１の基地局が管理するセルと一部又は全部が重複するセルに関して、当該セルの状態の変更に関する情報を収集する手段として機能する。オーバレイセル管理部１４は、状態決定部１１１がセル１０と一部又は全部が重複するセルの状態の変更を依頼したことに応じて、例えば状態決定部１１１から通知を受けることにより、当該セルの状態の変更に関する情報を収集する。
【００７７】
オーバレイセル管理部１４は、例えば、他の基地局１（例えば、第２の基地局１−２）から、第１の基地局１−１が管理するセルと一部又は全部が重複するセルに関する情報の通知を受ける手段として機能する。オーバレイセル管理部１４は、例えば、第２の基地局１−２から、セル１０と全部が重複するセル２０に関する情報の通知を受信する。
【００７８】
オーバレイセル管理部１４は、他の基地局１（例えば、基地局１−２）から通知された情報を、オーバレイセルＤＢ１５に記憶する手段として機能する。
【００７９】
オーバレイセル管理ＤＢ１５は、オーバレイセル管理部１４が受信した、第１の基地局１−１が管理するセルと一部又は全部が重複するセルに関する情報を記憶する手段として機能する。オーバレイセル管理ＤＢ１５は、例えば、テーブル形式で当該セルに関する情報を記憶する。
【００８０】
図８は、本発明の第２の実施形態における、オーバレイセル管理ＤＢ１５の構成例を示す図である。オーバレイセル管理ＤＢ１５は、例えば、第１の基地局１−１が管理するセル１０、１１及び１２に関して、当該セルと一部又は全部が重複するセルに関する情報を記憶する。図８の例では、オーバレイセル管理ＤＢ１５は、セル１０と一部又は全部が重複するセルとして、セル２０に関する情報を記憶する。なお、オーバレイセル管理ＤＢ１５が記憶する項目は、これらの項目に限られず、例えばセル２０を管理する基地局１を一意に識別する識別子などを記憶してもよい。
【００８１】
セル識別子は、第１の基地局１−１及び他の基地局が、第１の基地局１−１が管理するセルと一部又は全部が重複するセルを、一意に識別可能な識別子である。図８の例では、セル１０と一部又は全部が重複するセル２０に対して、セル２０のセル識別子「ＤＤＤＤＤ」が記憶されている。
【００８２】
セルモードはセルの現在の状態（モード）を示し、本発明の第２の実施形態では、通常モード又は省電力モードのどちらかである。図８の例では、セル１０と一部又は全部が重複するセル２０に対して、セル２０の現在の状態である「省電力」（モード）が記憶されている。
【００８３】
本発明の第２の実施形態において、第１の基地局１−１に含まれる条件判定部１１０は、セル管理ＤＢ１３を参照して、セル１０が所定の条件を満たしたか否か（又は、管理するセル１０において所定の条件が満たされたか否か）を検出する（判定する）。
【００８４】
条件判定部１１０は、例えば、セル管理ＤＢ１３を参照して、セル１０に在圏する通信端末の数が所定の閾値以上になったことを検出する。条件判定部１１０は、例えば、図７に示すセル管理ＤＢ１３を参照して、セル１０に対応づけて記憶されている通信端末数と、閾値とを比較して、通信端末数が閾値以上になったことを検出する。
【００８５】
条件判定部１１０は、例えば、セル管理ＤＢ１３に記憶されているセル１０のトラフィック量と、トラフィック量に関する閾値とを比較して、セル１０のトラフィック量が閾値以上になったことを検出する。
【００８６】
条件判定部１１０は、セル１０が所定の条件を満たしたことに応じて、状態決定部１１１にその旨を通知する。
【００８７】
状態決定部１１１は、条件判定部１１０からの通知があったことに応じて、オーバレイセル管理ＤＢ１５を参照して、セル１０と一部又は全部が重複するセルの有無、及び、そのセルの現在の状態（モード）を把握する。状態決定部１１１は、図８に示すオーバレイセル管理ＤＢ１５を参照して、セル１０の一部又は全部と重複するセル２０が、省電力モードであることを把握する。
【００８８】
状態決定部１１１は、オーバレイセル管理ＤＢ１５を参照して把握したセル２０の省電力モードを解除する依頼を、セル２０を管理する第２の基地局１−２に対して行う。状態決定部１１１は、例えば、第２の基地局１−２に対して、セル２０の省電力モードの解除を依頼するメッセージを送信する。
【００８９】
状態決定部１１１は、セル２０の省電力モードの解除を依頼するメッセージを送信した後、第２の基地局１−２からセル２０の状態（モード）を変更したことを示す情報の通知を受信したことに応じて、その情報に基づいて、オーバレイセル管理ＤＢ１５を更新する。
【００９０】
第２の基地局１−２に含まれる状態決定部１１１−２は、第１の基地局１−１からセル２０の省電力モードの解除を依頼するメッセージを受信したことに応じて、当該セル２０の省電力モードを解除し、基準信号（報知）の送信を再開する。
【００９１】
第２の基地局１−２に含まれる状態決定部１１１−２は、セル２０の省電力モードを解除したことに応じて、セル２０の状態（モード）を変更したことを示す情報を、第１の基地局１−１に通知する。状態決定部１１１−２は、例えば、第１の基地局１−１に対して、セル２０の識別子「ＤＤＤＤＤ」と、セル２０の現在の状態「通常」（モード）を示す情報とを通知する。
【００９２】
図９は、本発明の第２の実施形態における、第１の基地局１−１の動作例を示すフローチャートである。なお、図９では、管理するセル１０が満たす条件として、セル１０内に在圏する通信端末数が所定の閾値以上であることを例にして説明するが、当該条件はこの条件に限られず、例えば、セル１０内のトラフィック量が所定の閾値以上であること等でもよい。
【００９３】
本発明の第２の実施形態において、第１の基地局１−１の条件判定部１１０は、セル管理ＤＢ１３を参照して、セル１０内に在圏する通信端末数が所定の閾値以上であるか否かを判定する（Ｓ３０１）。
【００９４】
条件判定部１１０の判定の結果、セル１０内に在圏する通信端末数が所定の閾値未満であれば、ステップ３０１（Ｓ３０１）に戻る。
【００９５】
第１の基地局１−１の状態決定部１１１は、セル１０内に在圏する通信端末数が所定の閾値以上であることに応じて、オーバレイセル管理ＤＢ１５を参照し、セル１０と一部又は全部が重複するセルの有無、及び、そのセルの現在の状態（モード）を把握する（Ｓ３０２）。
【００９６】
第１の基地局１−１の状態決定部１１１は、セル１０と一部又は全部が重複するセル２０を管理する第２の基地局１−２に対して、セル２０の省電力モードの解除を依頼するメッセージを送信する（Ｓ３０３）。
【００９７】
オーバレイセル情報管理部１４は、第２の基地局１−２からセル２０の状態（モード）を変更したことを示す情報の通知を受信したことに応じて、オーバレイセル管理ＤＢ１５を更新する（Ｓ３０４）。
【００９８】
図１０は、本発明の第２の実施形態における、第２の基地局１−２の動作例を示すフローチャートである。
【００９９】
第２の基地局１−２の通信部１０−２は、第１の基地局１−１から、セル２０の省電力モードの解除を依頼するメッセージを受信する（Ｓ４０１）。
【０１００】
第２の基地局１−２の状態決定部１１１−２は、当該メッセージを受信したことに応じて、メッセージで指定されたセル２０の省電力モードを解除し、基準信号（報知）の送信を再開する（Ｓ４０２）。
【０１０１】
第２の基地局１−２のセル情報管理部１２−２は、セル２０の省電力モードを解除したことに応じて、セル管理ＤＢ１３−２を更新する（Ｓ４０３）。
【０１０２】
第２の基地局１−２の状態決定部１１１−２は、セル２０の省電力モードを解除したことに応じて、セル２０の状態（モード）を変更したことを示す情報を、第１の基地局１−１に通知する。
【０１０３】
本発明の第２の実施形態の基地局１は、セル管理ＤＢ１３を有するので、管理するセル毎に、在圏する通信端末数や、そのセルの状態（通常モードか省電力モードか）などを管理することが可能となる。また、本発明の第２の実施形態の基地局１は、オーバレイセル管理ＤＢ１５を有するので、自装置が管理するセルと一部又は全部が重複するセルであって、他の基地局１が管理するセルに関する情報を管理することが可能となる。
【０１０４】
＜第３の実施形態＞
本発明の第３の実施形態について、図面を参照して説明する。
【０１０５】
本発明の第３の実施形態では、基地局１の制御部１１が、セル管理ＤＢ１３を参照して、管理するセルが所定の条件を満たした場合に、基地局１が管理するセルを通常モードから省電力モードに切り替える手段として機能する。
【０１０６】
本発明の第３の実施形態の基地局１は、例えば省電力モードを解除したセルにおいて、当該セルが所定の条件を満たしたことに応じて、再度、省電力モードに切り替えることができる。
【０１０７】
なお、本発明の第３の実施形態において、本発明の一実施形態、第１の実施形態及び第２の実施形態と同様の構成については、説明を省略する。
【０１０８】
第２の基地局１−２の条件判定部１１０−２は、第２の基地局１−２が管理するセル２０が所定の条件を満たしたか否か（又は、管理するセル２０において所定の条件が満たされたか否か）を検出する（判定する）手段として機能する。条件判定部１１０−２は、例えば、セル２０に在圏する通信端末の数が所定の閾値未満になったことを検出する。条件判定部１１０−２は、例えば、セル２０のトラフィック量が所定の閾値未満になったことを検出する。
【０１０９】
条件判定部１１０−２が当該判定を開始するタイミングは、例えば、セル２０内に在圏していた通信端末２が、他のセルに移動した場合である。また、条件判定部１１０−２が当該判定を開始する当該タイミングは、例えば、所定の周期であってもよい。
【０１１０】
条件判定部１１０−２は、セル２０が所定の条件を満たしたことに応じて、基地局１−２の状態決定部１１１−２にその旨を通知する。
【０１１１】
条件判定部１１０−２は、例えば、セル２０において在圏する通信端末の数が所定の閾値未満になったことに応じて、状態決定部１１１−２にその旨を通知する。条件判定部１１０−２は、例えば、セル２０の通信トラフィックが、所定の閾値未満になったことに応じて、状態決定部１１１−２にその旨を通知する。
【０１１２】
状態決定部１１１−２は、条件判定部１１０−２からの通知があったことに応じて、セル２０内に在圏している通信端末２を、他のセルにハンドオーバさせる。状態決定部１１１−２は、例えば、セル２０内に在圏している通信端末２を、セル２０とオーバレイ構成となっているセル１０にハンドオーバさせる。
【０１１３】
状態決定部１１１−２は、セル２０に含まれる全ての通信端末２が、セル１０にハンドオーバしたことに応じて、セル２０における基準信号（報知）の送信を停止する。
【０１１４】
状態決定部１１１−２は、セル２０を省電力モードに遷移させたこと（基準信号（報知）の送信を停止すること）に応じて、第１の基地局１−１に対して、セル２０を省電力モードに遷移したことを通知する。状態決定部１１１−２は、例えば、第１の基地局１−１に対して、セル２０の識別子「ＤＤＤＤＤ」と、セル２０の現在の状態「省電力」（モード）を示す情報とを通知する。
【０１１５】
図１１は、本発明の第３の実施形態における、第２の基地局１−２の動作例を示すフローチャートである。なお、図１１では、管理するセル２０が満たす条件として、セル２０内に在圏する通信端末数が所定の閾値未満であることを例にして説明するが、当該条件はこの条件に限られず、例えば、セル２０内のトラフィック量が所定の閾値未満であること等でもよい。
【０１１６】
本発明の第３の実施形態において、第２の基地局１−２の条件判定部１１０−２は、セル管理ＤＢ１３−２を参照して、セル２０内に在圏する通信端末数が所定の閾値未満であるか否かを判定する（Ｓ５０１）。
【０１１７】
条件判定部１１０−２の判定の結果、セル１０内に在圏する通信端末数が所定の閾値以上であれば、ステップ５０１（Ｓ５０１）に戻る。
【０１１８】
状態決定部１１１−２は、セル２０内に在圏する通信端末数が所定の閾値未満であることに応じて、セル管理ＤＢ１３−２を参照してセル２０と一部又は全部が重複するセル１０を把握し、セル２０内に在圏する通信端末２をセル１０にハンドオーバさせる（Ｓ５０２）。
【０１１９】
状態決定部１１１−２は、セル２０に含まれる全ての通信端末２が、セル１０にハンドオーバしたことに応じて、セル２０における基準信号（報知）の送信を停止する（Ｓ５０３）。
【０１２０】
第２の基地局１−２のセル情報管理部１２−２は、セル２０を省電力モードに遷移したことに応じて、セル管理ＤＢ１３を更新する（Ｓ５０４）。
【０１２１】
状態決定部１１１−２は、セル２０を省電力モードに遷移させたこと（基準信号（報知）の送信を停止すること）に応じて、第１の基地局１−１に対して、セル２０を省電力モードに遷移したことを通知する（Ｓ５０５）。
【０１２２】
図１２は、本発明の第３の実施形態における通信システムの動作例を示すシーケンス図である。なお、図１２では、所定の条件として、セル内に在圏する通信端末数が所定の閾値未満（又は、閾値以上）であることを例にして説明するが、当該条件はこの条件に限られず、例えば、セル内のトラフィック量が所定の閾値未満（又は、閾値以上）であること等でもよい。
【０１２３】
第１の基地局１−１は、セル１０内の通信端末数が所定の閾値以上であることを検出し（Ｓ６０１）、第２の基地局１−２に対してセル２０の省電力モードを解除することを依頼する（Ｓ６０２）。
【０１２４】
第２の基地局１−２は、依頼を受けたことに応じて、セル２０の省電力モードを解除し（Ｓ６０３）、セル２０が通常モードであることを第１の基地局１−１に通知する（Ｓ６０４）。
【０１２５】
第２の基地局１−２は、セル２０内の通信端末数が所定の閾値未満であることを検出し（Ｓ６０５）、セル２０を省電力モードに遷移する（Ｓ６０６）。第２の基地局は、セル２０を省電力モードに遷移させたことに応じて、セル２０が通常モードであることを、第１の基地局１−１に通知する（Ｓ６０７）。
【０１２６】
本発明の第３の実施形態の基地局１は、例えば省電力モードを解除したセルにおいて、当該セルが所定の条件を満たしたことに応じて、再度、省電力モードに切り替えることができる。したがって、第２の基地局１−２は、セル２０の通常モードを不必要に長く継続しないので、第２の基地局１−２における消費電力を低減することができる。
【０１２７】
＜第４の実施形態＞
本発明の第４の実施形態は、基地局のコンピュータ、ＣＰＵ又はＭＰＵ（Ｍｉｃｒｏ−Ｐｒｏｃｅｓｓｉｎｇ  Ｕｎｉｔ）等が、上述した各実施形態の機能を実現するソフトウェア（プログラム）を実行する形態である。なお、本発明の第４の実施形態において、該ソフトウェア（プログラム）を実行する装置は、通信装置に限られず、どのような装置であってもよい。
【０１２８】
本発明の第４の実施形態において、基地局１は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。基地局１が取得するプログラム、又は、該プログラムを記憶した記憶媒体は、本発明を構成することになる。なお、該ソフトウェア（プログラム）は、例えば、基地局１に含まれる所定の記憶部（図示しない）に、予め記憶されていてもよい。
【０１２９】
基地局１のコンピュータ、ＣＰＵ又はＭＰＵ等は、取得したソフトウェア（プログラム）のプログラムコードを読み出して実行する。したがって、該基地局１は、上述した各実施形態における基地局１の処理と同一の処理を実行する。
【０１３０】
本発明の第４の実施形態によれば、基地局１のコンピュータ、ＣＰＵ又はＭＰＵ等に実現するためのプログラムといった用途に適用できる。
【０１３１】
上記の実施形態の一部又は全部は、以下の付記のようにも記載されうるが、以下には限られない。
【０１３２】
［付記１］
第１のセルを管理し、前記第１のセル内の通信端末と接続する第１の基地局と、
前記第１のセルと少なくとも一部が重複する第２のセルを管理し、前記第２のセル内の通信端末と接続する第２の基地局と、を有し、
前記第２の基地局は、管理するセル毎に、第１の状態と、前記第１の状態よりも消費電力を低下させた第２の状態とを切り替え可能に構成され、
前記第１の基地局は、前記第１のセルが所定の条件を満たしたことに応じて、前記第２の基地局に対して、前記第２の状態である前記第２のセルを前記第１の状態へ切り替えることを依頼する
ことを特徴とする通信システム。
【０１３３】
［付記２］
前記所定の条件は、前記第１のセル内の通信端末の数が所定の閾値以上であること、又は、前記第１のセルにおけるトラフィック量が所定の閾値以上であること、の少なくとも一方である
ことを特徴とする付記１に記載の通信システム。
【０１３４】
［付記３］
前記第１の基地局は、
管理するセル毎に、前記セル内の通信端末の数と、前記セルにおける所定の閾値とを対応付けて記憶し、
前記記憶した情報を参照して、前記第１のセルにおける通信端末の数が所定の閾値以上になったことを検出する
ことを特徴とする付記２に記載の通信システム。
【０１３５】
［付記４］
前記第１の基地局は、
管理するセル毎に、前記セル内のトラフィック量と、前記セルにおける所定の閾値とを対応付けて記憶し、
前記記憶した情報を参照して、前記第１のセルにおけるトラフィック量が所定の閾値以上になったことを検出する
ことを特徴とする付記２又は３に記載の通信システム。
【０１３６】
［付記５］
前記第１の状態は、前記管理するセルにおいて、通信端末と接続可能な状態であり、
前記第２の状態は、前記管理するセルにおいて、通信端末へ送信する信号を停止し、前記通信端末と接続しない状態である
ことを特徴とする付記１乃至４のいずれかに記載の通信システム。
【０１３７】
［付記６］
前記第１の基地局は、
管理するセル毎に、前記セルと少なくとも一部が重複するセルに関する情報を記憶し、
前記記憶した情報を参照して、前記第２の状態から前記第１の状態へ切り替えるセルを把握し、
前記第２の基地局に対して、前記把握したセルを前記第１の状態へ切り替えることを依頼する
ことを特徴とする付記１乃至５のいずれかに記載の通信システム。
【０１３８】
［付記７］
前記第２の基地局は、前記第２のセルを前記第１の状態へ切り替えることを依頼された場合に、前記第２のセルを前記第２の状態から前記第１の状態へ切り替える
ことを特徴とする付記１乃至６のいずれかに記載の通信システム。
【０１３９】
［付記８］
前記第２の基地局は、
管理するセル毎に、前記セルの現在の状態を記憶し、
前記第１の基地局から前記第２のセルを前記第１の状態へ切り替えることを依頼されたことに応じて、前記第２のセルの状態を更新する
ことを特徴とする付記１乃至７に記載の通信システム。
【０１４０】
［付記９］
前記第２の基地局は、前記第２の状態である前記第２のセルを前記第１の状態へ切り替えたことに応じて、前記第１の基地局に対して、前記第２のセルが前記第１の状態であることを通知し、
前記第１の基地局は、前記通知を受信したことに応じて、前記第２のセルが前記第１の状態であることを記憶する
ことを特徴とする付記１乃至８のいずれかに記載の通信システム。
【０１４１】
［付記１０］
前記第２の基地局は、
前記第２のセルが第２の所定の条件を満たしたことに応じて、前記第２のセル内の通信端末を前記第１のセルにハンドオーバさせ、
前記ハンドオーバが完了したことに応じて、前記第２のセルを前記第１の状態から前記第２の状態へ切り替える
ことを特徴とする付記１乃至９のいずれかに記載の通信システム。
【０１４２】
［付記１１］
前記第２の基地局は、前記第２のセルを前記第２の状態に切り替えたことに応じて、前記第１の基地局に対して、前記第２のセルが前記第２の状態であることを通知する
ことを特徴とする付記１０に記載の通信システム。
【０１４３】
［付記１２］
第１のセルを管理し、前記第１のセル内の通信端末と接続する通信部と、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する制御部と、
を有することを特徴とする基地局。
【０１４４】
［付記１３］
前記所定の条件は、前記第１のセル内の通信端末の数が所定の閾値以上であること、又は、前記第１のセルにおけるトラフィック量が所定の閾値以上であること、の少なくとも一方である
ことを特徴とする付記１３に記載の基地局。
【０１４５】
［付記１４］
管理するセル毎に、前記セル内の通信端末の数と、前記セルにおける所定の閾値とを対応付けて記憶する第１の記憶部をさらに有し、
前記制御部は、前記第１の記憶部を参照して、前記第１のセルにおける通信端末の数が所定の閾値以上になったことを検出する
ことを特徴とする付記１３に記載の基地局。
【０１４６】
［付記１５］
管理するセル毎に、前記セル内のトラフィック量と、前記セルにおける所定の閾値とを対応付けて記憶する第２の記憶部をさらに有し、
前記制御部は、前記第２の記憶部を参照して、前記第１のセルにおけるトラフィック量が所定の閾値以上になったことを検出する
ことを特徴とする付記１３又は１４に記載の基地局。
【０１４７】
［付記１６］
前記第１の状態は、前記管理するセルにおいて、通信端末と接続可能な状態であり、
前記第２の状態は、前記管理するセルにおいて、通信端末へ送信する信号を停止し、前記通信端末と接続しない状態である
ことを特徴とする付記１３乃至１５のいずれかに記載の基地局。
【０１４８】
［付記１７］
管理するセル毎に、前記セルと少なくとも一部が重複するセルに関する情報を記憶する第３の記憶部と、
前記制御部は、前記第３の記憶部を参照して、前記第２の状態から前記第１の状態へ切り替えるセルを把握し、前記他の基地局に対して、前記把握したセルを前記第１の状態へ切り替えることを依頼する
ことを特徴とする付記１３乃至１６のいずれかに記載の基地局。
【０１４９】
［付記１８］
前記制御部は、前記第１のセルが前記第２の状態の場合に、前記第１のセルを前記第１の状態へ切り替えることを依頼されたことに応じて、前記第１のセルを前記第２の状態から前記第１の状態へ切り替える
ことを特徴とする付記１３乃至１７のいずれかに記載の基地局。
【０１５０】
［付記１９］
前記制御部は、前記第２の状態である前記第１のセルを前記第１の状態へ切り替えたことに応じて、前記他の基地局に対して、前記第１のセルが前記第１の状態であることを通知することを特徴とする付記１８に記載の基地局。
【０１５１】
［付記２０］
管理するセル毎に、前記セルの現在の状態を記憶する第４の記憶部をさらに有し、
前記他の基地局から前記第１のセルを前記第１の状態へ切り替えることを依頼されたことに応じて、前記第４の記憶部における前記第１のセルの状態を更新する
ことを特徴とする付記１８又は１９に記載の基地局。
【０１５２】
［付記２１］
前記制御部は、
前記第１のセルが第２の所定の条件を満たしたことに応じて、前記第１のセル内の通信端末を前記第１のセルにハンドオーバさせ、
前記ハンドオーバが完了したことに応じて、前記第１のセルを前記第１の状態から前記第２の状態へ切り替える
ことを特徴とする付記１３乃至２０のいずれかに記載の基地局。
【０１５３】
［付記２２］
前記制御部は、前記第１のセルを前記第２の状態に切り替えたことに応じて、前記他の基地局に対して、前記第１のセルが前記第２の状態であることを通知する
ことを特徴とする付記２１に記載の基地局。
【０１５４】
［付記２３］
第１のセルを管理し、前記第１のセル内の通信端末と接続し、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する
ことを特徴とする通信方法。
【０１５５】
［付記２４］
前記所定の条件は、前記第１のセル内の通信端末の数が所定の閾値以上であること、又は、前記第１のセルにおけるトラフィック量が所定の閾値以上であること、の少なくとも一方である
ことを特徴とする付記２３に記載の通信方法。
【０１５６】
［付記２５］
管理するセル毎に、前記セル内の通信端末の数と、前記セルにおける所定の閾値とを対応付けて記憶し、
前記記憶した情報を参照して、前記第１のセルにおける通信端末の数が所定の閾値以上になったことを検出する
ことを特徴とする付記２４に記載の通信方法。
【０１５７】
［付記２６］
管理するセル毎に、前記セル内のトラフィック量と、前記セルにおける所定の閾値とを対応付けて記憶し、
前記記憶した情報を参照して、前記第１のセルにおけるトラフィック量が所定の閾値以上になったことを検出する
ことを特徴とする付記２４又は２５に記載の通信方法。
【０１５８】
［付記２７］
前記第１の状態は、前記管理するセルにおいて、通信端末と接続可能な状態であり、
前記第２の状態は、前記管理するセルにおいて、通信端末へ送信する信号を停止し、前記通信端末と接続しない状態である
ことを特徴とする付記２３乃至２６のいずれかに記載の通信方法。
【０１５９】
［付記２８］
管理するセル毎に、前記セルと少なくとも一部が重複するセルに関する情報を記憶し、
前記記憶した情報を参照して、前記第２の状態から前記第１の状態へ切り替えるセルを把握し、前記他の基地局に対して、前記把握したセルを前記第１の状態へ切り替えることを依頼する
ことを特徴とする付記２３乃至２７のいずれかに記載の通信方法。
【０１６０】
［付記２９］
前記第１のセルが前記第２の状態の場合に、前記第１のセルを前記第１の状態へ切り替えることを依頼されたことに応じて、前記第１のセルを前記第２の状態から前記第１の状態へ切り替える
ことを特徴とする付記２３乃至２８のいずれかに記載の通信方法。
【０１６１】
［付記３０］
前記第２の状態である前記第１のセルを前記第１の状態へ切り替えたことに応じて、前記他の基地局に対して、前記第１のセルが前記第１の状態であることを通知することを特徴とする付記２９に記載の通信方法。
【０１６２】
［付記３１］
管理するセル毎に、前記セルの現在の状態を記憶し、
前記他の基地局から前記第１のセルを前記第１の状態へ切り替えることを依頼されたことに応じて、前記記憶した第１のセルの状態を更新する
ことを特徴とする付記３０に記載の通信方法。
【０１６３】
［付記３２］
前記第１のセルが第２の所定の条件を満たしたことに応じて、前記第１のセル内の通信端末を前記第１のセルにハンドオーバさせ、
前記ハンドオーバが完了したことに応じて、前記第１のセルを前記第１の状態から前記第２の状態へ切り替える
ことを特徴とする付記２３乃至３１のいずれかに記載の通信方法。
【０１６４】
［付記３３］
前記第１のセルを前記第２の状態に切り替えたことに応じて、前記他の基地局に対して、前記第１のセルが前記第２の状態であることを通知する
ことを特徴とする付記３２に記載の通信方法。
【０１６５】
［付記３４］
第１のセルを管理し、前記第１のセル内の通信端末と接続する処理と、
前記第１のセルと少なくとも一部が重複する第２のセルを管理し、前記第２のセル内の通信端末と接続する他の基地局に対して、前記第１のセルが所定の条件を満たしたことに応じて、第１の状態の前記第２のセルを、前記第１の状態よりも消費電力を低下させた第２の状態へ切り替えることを依頼する処理と
をコンピュータに実行させることを特徴とするプログラム。
【０１６６】
［付記３５］
前記所定の条件は、前記第１のセル内の通信端末の数が所定の閾値以上であること、又は、前記第１のセルにおけるトラフィック量が所定の閾値以上であること、の少なくとも一方である
ことを特徴とする付記３４に記載のプログラム。
【０１６７】
［付記３６］
管理するセル毎に、前記セル内の通信端末の数と、前記セルにおける所定の閾値とを対応付けて記憶する処理と、
前記記憶した情報を参照して、前記第１のセルにおける通信端末の数が所定の閾値以上になったことを検出する処理と
を含むことを特徴とする付記３５に記載のプログラム。
【０１６８】
［付記３７］
管理するセル毎に、前記セル内のトラフィック量と、前記セルにおける所定の閾値とを対応付けて記憶する処理と、
前記記憶した情報を参照して、前記第１のセルにおけるトラフィック量が所定の閾値以上になったことを検出する処理と
を含むことを特徴とする付記３５又は３６に記載のプログラム。
【０１６９】
［付記３８］
前記第１の状態は、前記管理するセルにおいて、通信端末と接続可能な状態であり、
前記第２の状態は、前記管理するセルにおいて、通信端末へ送信する信号を停止し、前記通信端末と接続しない状態である
ことを特徴とする付記３４乃至３７のいずれかに記載のプログラム。
【０１７０】
［付記３９］
管理するセル毎に、前記セルと少なくとも一部が重複するセルに関する情報を記憶する処理と、
前記記憶した情報を参照して、前記第２の状態から前記第１の状態へ切り替えるセルを把握し、前記他の基地局に対して、前記把握したセルを前記第１の状態へ切り替えることを依頼する処理と
を含むことを特徴とする付記３４乃至３８のいずれかに記載のプログラム。
【０１７１】
［付記４０］
前記第１のセルが前記第２の状態の場合に、前記第１のセルを前記第１の状態へ切り替えることを依頼されたことに応じて、前記第１のセルを前記第２の状態から前記第１の状態へ切り替える処理
を含むことを特徴とする付記３４乃至３９のいずれかに記載のプログラム。
【０１７２】
［付記４１］
前記第２の状態である前記第１のセルを前記第１の状態へ切り替えたことに応じて、前記他の基地局に対して、前記第１のセルが前記第１の状態であることを通知する処理
を含むことを特徴とする付記４０に記載のプログラム。
【０１７３】
［付記４２］
管理するセル毎に、前記セルの現在の状態を記憶する処理と、
前記他の基地局から前記第１のセルを前記第１の状態へ切り替えることを依頼されたことに応じて、前記記憶した第１のセルの状態を更新する処理と、
を含むことを特徴とする付記４０又は４１に記載のプログラム。
【０１７４】
［付記４３］
前記第１のセルが第２の所定の条件を満たしたことに応じて、前記第１のセル内の通信端末を前記第１のセルにハンドオーバさせる処理と、
前記ハンドオーバが完了したことに応じて、前記第１のセルを前記第１の状態から前記第２の状態へ切り替える処理と、
を含むことを特徴とする付記３４乃至４２のいずれかに記載のプログラム。
【０１７５】
［付記４４］
前記第１のセルを前記第２の状態に切り替えたことに応じて、前記他の基地局に対して、前記第１のセルが前記第２の状態であることを通知する処理
を含むことを特徴とする付記４３に記載のプログラム。
【符号の説明】
【０１７６】
１  基地局
１−１  第１の基地局
１−２  第２の基地局
２  通信端末
３  ネットワーク
４  第１のセル、セル１０
５  第２のセル、セル２０
１０  通信部
１０−２  第２の基地局の通信部
１１  制御部
１２  セル情報管理部
１２−２  第２の基地局のセル情報管理部
１３  セル管理ＤＢ
１３−２  第２の基地局のセル管理ＤＢ
１４  オーバレイ情報管理部
１５  オーバレイ管理ＤＢ
１１０  条件判定部
１１０−２  第２の基地局に条件判定部
１１１  状態決定部
１１１−２  第２の基地局の状態決定部
【図１】
2015008398.tif 000003
【図２】
2015008398.tif 000004
【図３】
2015008398.tif 000005
【図４】
2015008398.tif 000006
【図５】
2015008398.tif 000007
【図６】
2015008398.tif 000008
【図７】
2015008398.tif 000009
【図８】
2015008398.tif 000010
【図９】
2015008398.tif 000011
【図１０】
2015008398.tif 000012
【図１１】
2015008398.tif 000013
【図１２】
2015008398.tif 000014